(57)【要約】  本発明はＭ２Ｍノード位置情報の取得を制御する方法、装置及びシステム、記憶媒体を開示し、当該方法は、登録ＣＳＥが測位間隔又は／及び測位時間を含む測位パラメータが乗せられたリソース要求を受信し、前記リソース要求中の測位パラメータに基づいて測位制御を行うことを含む。
2018512753.tif 000002
【特許請求の範囲】
【請求項１】
登録公共業務エンティティＣＳＥが、測位間隔又は／及び測位時間を含む測位パラメータが乗せられたリソース要求を受信し、前記リソース要求中の測位パラメータに基づいて、測位制御を行うことを含むマシンツーマシンＭ２Ｍノード位置情報の取得を制御する方法。
【請求項２】
登録ＣＳＥが、リソース要求に基づいて、位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を設定する請求項１に記載の方法。
【請求項３】
前記リソース要求中の測位パラメータに基づいて測位制御を行うことが、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しないか又は属性「測位間隔」の値が０又は空きである場合、登録ＣＳＥが、測位要求メッセージを位置サーバーに送信することを含む請求項２に記載の方法。
【請求項４】
前記リソース要求中の測位パラメータに基づいて測位制御を行うことが、前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥが測位要求メッセージを位置サーバーに送信することを含む請求項２に記載の方法。
【請求項５】
前記登録ＣＳＥが測位要求メッセージを位置サーバーに送信した後、位置サーバーの応答メッセージを受信し、応答メッセージ中に現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定することをさらに含む請求項３又は４に記載の方法。
【請求項６】
前記リソース要求中の測位パラメータに基づいて測位制御を行うことが、前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥが測位停止メッセージを位置サーバーに送信することを含む請求項２に記載の方法。
【請求項７】
前記リソース要求中の測位パラメータに基づいて測位制御を行うことが、前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥが測位停止メッセージを位置サーバーに送信することを含む請求項２に記載の方法。
【請求項８】
前記登録ＣＳＥが測位停止メッセージを位置サーバーに送信することが、登録ＣＳＥが位置サーバーに送信する測位停止メッセージにリソース「位置管理」の属性「測位フロー関連マーク」の値を乗せることを含む請求項６又は７に記載の方法。
【請求項９】
測位間隔又は／及び測位時間を含む測位パラメータが乗せられたリソース要求を受信するように構成されたメッセージ受信手段と、
前記リソース要求中の測位パラメータに基づいて測位制御を行うように構成された制御手段と、を含む登録ＣＳＥ。
【請求項１０】
前記メッセージ受信手段はさらに、リソース要求に基づいて位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を確立する請求項９に記載の登録ＣＳＥ。
【請求項１１】
前記制御手段はさらに、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しない又は属性「測位間隔」の値が０又は空きである場合、登録ＣＳＥにより測位要求メッセージを位置サーバーに送信する請求項１０に記載の登録ＣＳＥ。
【請求項１２】
前記制御手段はさらに、前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥにより測位要求メッセージを位置サーバーに送信する請求項１０に記載の登録ＣＳＥ。
【請求項１３】
前記制御手段はさらに、測位要求メッセージを位置サーバーに送信した後、位置サーバーの応答メッセージを受信し、応答メッセージに現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定する請求項１１又は１２に記載の登録ＣＳＥ。
【請求項１４】
前記制御手段はさらに、前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥにより測位停止メッセージを位置サーバーに送信する請求項１０に記載の登録ＣＳＥ。
【請求項１５】
前記制御手段はさらに、前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥにより測位停止メッセージを位置サーバーに送信する請求項１０に記載の登録ＣＳＥ。
【請求項１６】
前記制御手段はさらに、位置サーバーに送信する測位停止メッセージにリソース「位置管理」の属性「測位フロー関連マーク」の値を乗せる請求項１４又は１５に記載の登録ＣＳＥ。
【請求項１７】
登録ＣＳＥに、測位間隔又は／及び測位時間を含む測位パラメータが乗せられたリソース要求を送信するように構成されたアプリケーションエンティティＡＥ又はＣＳＥと、
測位パラメータが乗せられたリソース要求を受信し、前記リソース要求中の測位パラメータに基づいて測位制御を行うように構成された登録ＣＳＥと、
登録ＣＳＥの制御に従って測位操作を実行するように構成された位置サーバーと、を含むＭ２Ｍノード位置情報の取得を制御するシステム。
【請求項１８】
前記登録ＣＳＥがさらに、リソース要求に基づいて、位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を確立する請求項１７に記載のシステム。
【請求項１９】
前記登録ＣＳＥがさらに、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しない又は属性「測位間隔」の値が０又は空きである場合、登録ＣＳＥにより測位要求メッセージを位置サーバーに送信する請求項１８に記載のシステム。
【請求項２０】
前記登録ＣＳＥがさらに、前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥにより測位要求メッセージを位置サーバーに送信する請求項１８に記載のシステム。
【請求項２１】
前記登録ＣＳＥがさらに、測位要求メッセージを位置サーバーに送信した後、位置サーバーの応答メッセージを受信し、応答メッセージに現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定する請求項１９又は２０に記載のシステム。
【請求項２２】
前記登録ＣＳＥがさらに、前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥにより測位停止メッセージを位置サーバーに送信する請求項１８に記載のシステム。
【請求項２３】
前記登録ＣＳＥがさらに、前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥにより測位停止メッセージを位置サーバーに送信する請求項１８に記載のシステム。
【請求項２４】
前記登録ＣＳＥがさらに、位置サーバーに送信する測位停止メッセージにリソース「位置管理」の属性「測位フロー関連マーク」の値を乗せる請求項２２又は２３に記載のシステム。
【請求項２５】
請求項１乃至８の中のいずれかに記載のＭ２Ｍノード位置情報の取得を制御する方法を実行するためのコンピュータープログラムが記憶される記憶媒体。
【発明の詳細な説明】
【技術分野】
【０００１】
本発明は、マシン型通信（ＭＴＣ、Ｍａｃｈｉｎｅ  Ｔｙｐｅ  Ｃｏｍｍｕｎｉｃａｔｉｏｎ）端末の管理技術に関し、特に、マシンツーマシン（Ｍ２Ｍ、Ｍａｃｈｉｎｅ−Ｔｏ−Ｍａｃｈｉｎｅ）ノード位置情報の取得を制御する方法、装置及びシステム、記憶媒体に関する。
【背景技術】
【０００２】
Ｍ２Ｍ通信ネットワークは各Ｍ２Ｍノードとベアラネットワークから構成される。Ｍ２Ｍノードは、物理デバイスとして、Ｍ２Ｍ業務を、Ｍ２Ｍノードに含まれたロジックユニット間の通信によって実現する。一つのＭ２Ｍノードは、一つのアプリケーションエンティティ又は一つの公共業務エンティティを含む。アプリケーションエンティティ（ＡＥ、Ａｐｐｌｉｃａｔｉｏｎ  ｅｎｔｉｔｙ）は、実際にＭ２Ｍアプリケーションを実行するロジックユニットであって、公共業務エンティティ（ＣＳＥ、Ｃｏｍｍｏｎ  Ｓｅｒｖｉｃｅ  Ｅｎｔｉｔｙ）はＡＥ及びＭ２Ｍノードを管理し、ＡＥにサービスを提供するロジックユニットである。
【０００３】
ＡＥは、ＣＳＥに登録している場合のみにＣＳＥにより提供するサービスを共有することができ、ここでのＣＳＥはＡＥ登録ＣＳＥと呼ばれ、例えば、データを他のＡＥ又はＣＳＥに送信する。同時に、各ＣＳＥが異なるサービスを提供することができるので、一つのＣＳＥは他のＣＳＥに登録して、他のＣＳＥにより提供するサービスを共有することもでき、他のＣＳＥも前のＣＳＥの登録ＣＳＥと呼ばれる。
【０００４】
いずれのＭ２Ｍノード上のＡＥ又はＣＳＥは自体の登録ＣＳＥに要求を送信して、ある特定したＭ２Ｍノードの位置情報を要求することができる。一方、Ｍ２Ｍノードの位置情報は登録ＣＳＥによってネットワークから取得することができる。
【０００５】
ＡＥ又はＣＳＥが登録ＣＳＥに「位置管理」リソースの確立要求を送信し、「位置管理」はリソースの１種のタイプで、位置情報の取得に関連する一連のパラメータを含み、例えば位置情報を取得しようとするノードマーク等を含み、また、「位置管理」リソースに属性「ターゲットノードマーク」を確立して、位置情報を取得しようとするノードマークを記憶する。「位置管理」リソースを確立する際、登録ＣＳＥが同期して「容器」タイプのリソースを確立して、将来取得する位置情報データを記憶する。同時に、「位置管理」リソースに属性「位置容器」を確立して、前記「容器」タイプのアドレスを記憶し、「位置管理」リソースと「容器」リソースとを関連付ける。
【０００６】
既存の構成では、位置情報の取得操作が柔軟性に欠けていて、位置情報を取得するたびに多くのネットワークリソースを消費し、特に、無線リソースを多く消費するので、既存の位置情報の取得操作は必要でないリソース消費を増やし、必要でない費用が発生する。
【発明の概要】
【発明が解決しようとする課題】
【０００７】
既存に存在する技術課題を解決するため、本発明は主に、Ｍ２Ｍノード位置情報の取得を制御する方法、装置及びシステム、記憶媒体を提供する。
【課題を解決するための手段】
【０００８】
本発明の技術案は以下のように実現される。
【０００９】
本発明において、
登録公共業務エンティティＣＳＥが、測位間隔又は／及び測位時間を含む測位パラメータが乗せられたリソース要求を受信し、前記リソース要求中の測位パラメータに基づいて、測位制御を行うことを含むＭ２Ｍノード位置情報の取得を制御する方法を提供する。
【００１０】
上記技術案において、該方法は、登録ＣＳＥが、リソース要求に基づいて、位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を設定する。
【００１１】
上記技術案において、前記リソース要求中の測位パラメータに基づいて測位制御を行うことが、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しないか又は属性「測位間隔」の値が０又は空きである場合、登録ＣＳＥが、測位要求メッセージを位置サーバーに送信することを含む。
【００１２】
上記技術案において、前記リソース要求中の測位パラメータに基づいて測位制御を行うことが、前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥが測位要求メッセージを位置サーバーに送信することを含む。
【００１３】
上記技術案において、該方法は、前記登録ＣＳＥが測位要求メッセージを位置サーバーに送信した後、位置サーバーの応答メッセージを受信し、応答メッセージ中に現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定することをさらに含む。
【００１４】
上記技術案において、前記リソース要求中の測位パラメータに基づいて測位制御を行うことが、前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥが測位停止メッセージを位置サーバーに送信することを含む。
【００１５】
上記技術案において、前記リソース要求中の測位パラメータに基づいて測位制御を行うことが、前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥが測位停止メッセージを位置サーバーに送信することを含む。
【００１６】
上記技術案において、前記登録ＣＳＥが測位停止メッセージを位置サーバーに送信することが、登録ＣＳＥが位置サーバーに送信する測位停止メッセージにリソース「位置管理」の属性「測位フロー関連マーク」の値を乗せることを含む。
【００１７】
本発明において、
測位間隔又は／及び測位時間を含む測位パラメータが乗せられたリソース要求を受信するように構成されたメッセージ受信手段と、
前記リソース要求中の測位パラメータに基づいて測位制御を行うように構成された制御手段とを、含む登録ＣＳＥを提供する。
【００１８】
上記技術案において、前記メッセージ受信手段はさらに、リソース要求に基づいて位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を確立する。
【００１９】
上記技術案において、前記制御手段は、具体的に、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しない又は属性「測位間隔」の値が０又は空きである場合、登録ＣＳＥにより測位要求メッセージを位置サーバーに送信する。
【００２０】
上記技術案において、前記制御手段は、具体的に、前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥにより測位要求メッセージを位置サーバーに送信する。
【００２１】
上記技術案において、前記制御手段はさらに、測位要求メッセージを位置サーバーに送信した後、位置サーバーの応答メッセージを受信し、応答メッセージに現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定する。
【００２２】
上記技術案において、前記制御手段は、具体的に、前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥにより測位停止メッセージを位置サーバーに送信する。
【００２３】
上記技術案において、前記制御手段は、具体的に、前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥにより測位停止メッセージを位置サーバーに送信する。
【００２４】
上記技術案において、前記制御手段は、具体的に、位置サーバーに送信する測位停止メッセージにリソース「位置管理」の属性「測位フロー関連マーク」の値を乗せる。
【００２５】
本発明は、
登録ＣＳＥに、測位間隔又は／及び測位時間を含む測位パラメータが乗せられたリソース要求を送信するように構成されたアプリケーションエンティティＡＥ又はＣＳＥと、
測位パラメータが乗せられたリソース要求を受信し、前記リソース要求中の測位パラメータに基づいて測位制御を行うように構成された登録ＣＳＥと、
登録ＣＳＥの制御に従って測位操作を実行するように構成された位置サーバーと、を含むＭ２Ｍノード位置情報の取得を制御するシステムを提供する。
【００２６】
上記技術案において、前記登録ＣＳＥがさらに、リソース要求に基づいて、位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を確立する。
【００２７】
上記技術案において、前記登録ＣＳＥが、具体的に、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しない又は属性「測位間隔」の値が０又は空きである場合、登録ＣＳＥにより測位要求メッセージを位置サーバーに送信する。
【００２８】
上記技術案において、前記登録ＣＳＥが、具体的に、前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥにより測位要求メッセージを位置サーバーに送信する。
【００２９】
上記技術案において、前記登録ＣＳＥがさらに、測位要求メッセージを位置サーバーに送信した後、位置サーバーの応答メッセージを受信し、応答メッセージに現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定する。
【００３０】
上記技術案において、前記登録ＣＳＥが、具体的に、前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥにより測位停止メッセージを位置サーバーに送信する。
【００３１】
上記技術案において、前記登録ＣＳＥが、具体的に、前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥにより測位停止メッセージを位置サーバーに送信する。
【００３２】
上記技術案において、前記登録ＣＳＥが、具体的に、位置サーバーに送信する測位停止メッセージにリソース「位置管理」の属性「測位フロー関連マーク」の値を乗せる。
【発明の効果】
【００３３】
本発明によると、Ｍ２Ｍノード位置情報の取得を制御する方法、装置及びシステム、記憶媒体を提供し、登録ＣＳＥにより測位間隔又は／及び測位時間を含む測位パラメータが乗せられたリソース要求を受信し、前記リソース要求中の測位パラメータに基づいて測位制御を行うことによって、開始側のＭ２Ｍノードが位置情報の取得を柔軟に制御するように許可することができ、必要でないリソース消費を減少し、必要でない費用の発生を防止する。
【図面の簡単な説明】
【００３４】
【図１】本発明の実施例で提供するＭ２Ｍノード位置情報の取得を制御する方法を示すフローチャートである。
【図２】本発明の実施例で提供する登録ＣＳＥの構造を示す図である。
【図３】本発明の実施例で提供するＭ２Ｍノード位置情報の取得を制御するシステムの構造を示す図である。
【発明を実施するための形態】
【００３５】
本発明の実施例において、登録ＣＳＥが測位パラメータが乗せられたリソース要求を受信し、前記リソース要求中の測位パラメータに基づいて測位制御を行い、前記測位パラメータは測位間隔又は／及び測位時間を含む。
【００３６】
以下、図面と具体的な実施例によって本発明をさらに詳しく説明する。
【００３７】
本発明の実施例においてＭ２Ｍノード位置情報の取得を制御する方法を実現し、図１に示すように、該方法はステップ１０１〜ステップ１０２を含む。
【００３８】
ステップ１０１において、登録ＣＳＥが、測位パラメータが乗せられたリソース要求を受信し、前記測位パラメータは測位間隔又は／及び測位時間を含む。
【００３９】
当該ステップは、登録ＣＳＥが、リソース要求に基づいて位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を確立することをさらに含む。
【００４０】
ステップ１０２において、登録ＣＳＥが、前記リソース要求中の測位パラメータに基づいて測位制御を行う。
【００４１】
具体的に、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しない又は属性「測位間隔」の値が０又は空きである場合、登録ＣＳＥが測位要求メッセージを位置サーバーに送信する。
【００４２】
前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥが測位要求メッセージを位置サーバーに送信する。
【００４３】
前記リソース要求中の測位パラメータに測位間隔又は測位間隔及び測位時間が含まれていて、且つ前記リソース要求中測位間隔の値が０又は空きである場合、リソース「位置管理」の属性「測位間隔」を調査し、属性「測位間隔」の値が０又は空きではない場合、登録ＣＳＥが測位停止メッセージを位置サーバーに送信して、位置情報の提供を停止することを指示する。
【００４４】
前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥが測位停止メッセージを位置サーバーに送信して、位置情報の提供を停止することを指示する。
【００４５】
当該ステップは、前記登録ＣＳＥが測位要求メッセージを位置サーバーに送信した後、位置サーバーの応答メッセージを受信し、応答メッセージに現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定することをさらに含み、具体的には、
前記測位パラメータに測位間隔が含まれている場合、
登録ＣＳＥが「位置報知トリガー要求」（「Ｔｒｉｇｇｅｒｅｄ  Ｌｏｃａｔｉｏｎ  Ｒｅｐｏｒｔｉｎｇ  Ｒｅｑｕｅｓｔ」）シグナルを位置サーバーに送信し、シグナルにおいてパラメータ「ｍｓｉｄ」の値をリソース「位置管理」の属性「ターゲットマーク」の値に設定し、パラメータ「ｉｎｔｅｒｖａｌ」の値を属性「測位間隔」の値に設定し、
登録ＣＳＥが、位置サーバーから返送された応答メッセージを受信し、それにパラメータ「ｌｃｓ＿ｒｅｆ」が含まれていて、「ｌｃｓ＿ｒｅｆ」は前記登録ＣＳＥが要求した測位情報を周期的に取得するフローを示し、登録ＣＳＥがリソース「位置管理」に対して属性「測位フロー関連マーク」を確立し、その値を受信した現在の周期性測位要求のフローマーク、即ち受信した「ｌｃｓ＿ｒｅｆ」に設定する。
【００４６】
又は、登録ＣＳＥが「新規周期通知購読確立」（「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」）シグナルを位置サーバーに送信し、シグナルにおいてパラメータ「ａｄｄｒｅｓｓ」をリソース「位置管理」の属性「ターゲットマーク」の値に設定し、パラメータ「ｆｒｅｑｕｅｎｃｙ」の値を属性「測位間隔」の値に設定し、
位置サーバーは、登録ＣＳＥの「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルに対して購読（ｓｕｂｓｃｒｉｐｔｉｏｎ）リソースを確立し、対応する購読マーク（ｓｕｂｓｃｒｉｐｔｉｏｎ  ｉｄ）を登録ＣＳＥに送信し、前記ｓｕｂｓｃｒｉｐｔｉｏｎ  ｉｄは、位置サーバーで前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。登録ＣＳＥが、リソース「位置管理」に対して属性「測位フロー関連マーク」を確立し、その値を受信したｓｕｂｓｃｒｉｐｔｉｏｎ  ｉｄに設定する。
【００４７】
前記測位パラメータに測位間隔及び測位時間が含まれている場合、
登録ＣＳＥが「位置報知トリガー要求」（「Ｔｒｉｇｇｅｒｅｄ  Ｌｏｃａｔｉｏｎ  Ｒｅｐｏｒｔｉｎｇ  Ｒｅｑｕｅｓｔ」）シグナルを位置サーバーに送信し、シグナルにおいてパラメータ「ｍｓｉｄ」の値をリソース「位置管理」の属性「ターゲットマーク」の値に設定し、パラメータ「ｉｎｔｅｒｖａｌ」の値を属性「測位間隔」の値に設定し、パラメータ「ｄｕｒａｔｉｏｎ」の値を属性「測位時間」の値に設定し、
登録ＣＳＥが、位置サーバーから返送された応答メッセージを受信し、それにパラメータ「ｌｃｓ＿ｒｅｆ」が含まれていて、「ｌｃｓ＿ｒｅｆ」は前記登録ＣＳＥが要求した測位情報を周期的に取得するフローを示し、登録ＣＳＥがリソース「位置管理」に対して属性「測位フロー関連マーク」を確立し、その値を受信した現在の周期性測位要求のフローマークに設定し、即ち、受信した「ｌｃｓ＿ｒｅｆ」に設定する。
【００４８】
又は、登録ＣＳＥが、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバーに送信し、シグナルにおいてパラメータ「ａｄｄｒｅｓｓ」をリソース「位置管理」の属性「ターゲットマーク」の値に設定し、パラメータ「ｆｒｅｑｕｅｎｃｙ」の値を属性「測位間隔」の値に設定し、パラメータ「ｄｕｒａｔｉｏｎ」の値を属性「測位時間」の値に設定し、
位置サーバーは、登録ＣＳＥの「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルに対してｓｕｂｓｃｒｉｐｔｉｏｎリソースを確立し、対応するｓｕｂｓｃｒｉｐｔｉｏｎ  ｉｄを登録ＣＳＥに送信し、前記ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。登録ＣＳＥがリソース「位置管理」に対して属性「測位フロー関連マーク」を確立し、その値を受信したｓｕｂｓｃｒｉｐｔｉｏｎ  ｉｄに設定する。
【００４９】
ここで、前記登録ＣＳＥが測位停止メッセージを位置サーバーに送信することが、登録ＣＳＥが位置サーバーに送信する測位停止メッセージにリソース「位置管理」の属性「測位フロー関連マーク」の値を乗せることを含み、
登録ＣＳＥが「位置報知停止トリガー要求」（「Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔ」）シグナルを位置サーバーに送信し、前記シグナルにおいてパラメータ「ｌｃｓ＿ｒｅｆ」の値をリソース「位置管理」の属性「測位フロー関連マーク」の値に設定し、前記パラメータ「ｌｃｓ＿ｒｅｆ」は登録ＣＳＥが要求した位置情報を周期的に取得するフローを示す、
又は、登録ＣＳＥが「購読を削除する購読マーク」（「ｄｅｌｅｔｅ  ｓｕｂｓｃｒｉｐｔｉｏｎ  ｗｉｔｈ  ｓｕｂｓｃｒｉｐｔｉｏｎ  ｉｄ」）シグナルを位置サーバーに送信することを含み、前記シグナルにリソース「位置管理」の属性「測位フロー関連マーク」の値を含む。
【００５０】
上記方法を実現するため、本発明はさらに登録ＣＳＥを提供し、図２に示すように、該登録ＣＳＥが、メッセージ受信手段２１と、制御手段２２とを含む。
【００５１】
メッセージ受信手段２１は、測位パラメータが乗せられたリソース要求を受信し、前記測位パラメータは測位間隔又は／及び測位時間を含む。
【００５２】
制御手段２２は、前記リソース要求中の測位パラメータに基づいて測位停止制御を行う。
【００５３】
ここで、前記メッセージ受信手段２１はさらに、リソース要求に基づいて位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を確立する。
【００５４】
前記制御手段２２は、具体的に、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しない又は属性「測位間隔」の値が０又は空きである場合、登録ＣＳＥにより測位要求メッセージを位置サーバーに送信し、
前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥにより測位要求メッセージを位置サーバーに送信し、
前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥにより測位停止メッセージを位置サーバーに送信して、位置情報の提供を停止することを指示し、
前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥにより測位停止メッセージを位置サーバーに送信して、位置情報の提供を停止することを指示する。
【００５５】
そして、前記制御手段２２はさらに、測位要求メッセージを位置サーバーに送信した後、位置サーバーの応答メッセージを受信し、応答メッセージに現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定し、具体的に、
前記測位パラメータに測位間隔が含まれている場合、
前記制御手段２２は、「Ｔｒｉｇｇｅｒｅｄ  Ｌｏｃａｔｉｏｎ  Ｒｅｐｏｒｔｉｎｇ  Ｒｅｑｕｅｓｔ」シグナルを位置サーバーに送信し、シグナルにおいてパラメータ「ｍｓｉｄ」の値をリソース「位置管理」の属性「ターゲットマーク」の値に設定し、パラメータ「ｉｎｔｅｒｖａｌ」の値を属性「測位間隔」の値に設定し、
前記制御手段２２は、位置サーバーから返信された応答メッセージを受信し、それにパラメータ「ｌｃｓ＿ｒｅｆ」が含まれていて、「ｌｃｓ＿ｒｅｆ」は前記登録ＣＳＥが要求した測位情報を周期的に取得するフローを示し、前記制御手段２２は、リソース「位置管理」に対して属性「測位フロー関連マーク」を確立し、その値を受信した現在の周期性測位要求のフローマーク、即ち、受信した「ｌｃｓ＿ｒｅｆ」に設定する。
【００５６】
又は、前記制御手段２２は、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバーに送信し、シグナルにおいてパラメータ「ａｄｄｒｅｓｓ」をリソース「位置管理」の属性「ターゲットマーク」の値に設定し、パラメータ「ｆｒｅｑｕｅｎｃｙ」の値を属性「測位間隔」の値に設定し、
前記制御手段２２は、位置サーバーが「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルに対してｓｕｂｓｃｒｉｐｔｉｏｎリソースを確立した後に返送したｓｕｂｓｃｒｉｐｔｉｏｎ  ｉｄを受信し、リソース「位置管理」に対して属性「測位フロー関連マーク」を確立し、その値を受信したｓｕｂｓｃｒｉｐｔｉｏｎ  ｉｄに設定し、前記ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。
【００５７】
前記測位パラメータに測位間隔及び測位時間が含まれている場合、
前記制御手段２２は、「Ｔｒｉｇｇｅｒｅｄ  Ｌｏｃａｔｉｏｎ  Ｒｅｐｏｒｔｉｎｇ  Ｒｅｑｕｅｓｔ」シグナルを位置サーバーに送信し、シグナルにおいてパラメータ「ｍｓｉｄ」の値をリソース「位置管理」の属性「ターゲットマーク」の値に設定し、パラメータ「ｉｎｔｅｒｖａｌ」の値を属性「測位間隔」の値に設定し、パラメータ「ｄｕｒａｔｉｏｎ」の値を属性「測位時間」の値に設定し、
前記制御手段２２は、位置サーバーから返信された応答メッセージを受信し、それにパラメータ「ｌｃｓ＿ｒｅｆ」が含まれていて、「ｌｃｓ＿ｒｅｆ」は前記登録ＣＳＥが要求した測位情報を周期的に取得するフローを示し、前記制御手段２２はリソース「位置管理」に対して属性「測位フロー関連マーク」を確立し、その値を受信した現在の周期性測位要求のフローマーク、即ち受信した「ｌｃｓ＿ｒｅｆ」に設定する。
【００５８】
又は、前記制御手段２２は、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバーに送信し、シグナルにおいてパラメータ「ａｄｄｒｅｓｓ」をリソース「位置管理」の属性「ターゲットマーク」の値に設定し、パラメータ「ｆｒｅｑｕｅｎｃｙ」の値を属性「測位間隔」の値に設定し、パラメータ「ｄｕｒａｔｉｏｎ」の値を属性「測位時間」の値に設定し、
前記制御手段２２は、位置サーバーが「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルに対してｓｕｂｓｃｒｉｐｔｉｏｎリソースを確立した後のｓｕｂｓｃｒｉｐｔｉｏｎ  ｉｄを受信し、リソース「位置管理」に対して属性「測位フロー関連マーク」を確立し、その値を受信したｓｕｂｓｃｒｉｐｔｉｏｎ  ｉｄに設定し、前記ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。
【００５９】
前記制御手段２２は、位置サーバーに送信する測位停止メッセージにリソース「位置管理」の属性「測位フロー関連マーク」の値を乗せていて、具体的には、
前記制御手段２２は、「Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔ」シグナルを位置サーバーに送信し、前記シグナルにおいてパラメータ「ｌｃｓ＿ｒｅｆ」の値をリソース「位置管理」の属性「測位フロー関連マーク」の値に設定し、前記パラメータ「ｌｃｓ＿ｒｅｆ」は登録ＣＳＥが要求した位置情報を周期的に取得するフローを示し、
又は、「ｄｅｌｅｔｅ  ｓｕｂｓｃｒｉｐｔｉｏｎ  ｗｉｔｈ  ｓｕｂｓｃｒｉｐｔｉｏｎ  ｉｄ」シグナルを位置サーバーに送信し、前記シグナルにリソース「位置管理」の属性「測位フロー関連マーク」の値が含まれている。
【００６０】
実際の応用において、前記メッセージ受信手段２１、制御手段２２の機能を登録ＣＳＥ内に位置する中央処理ユニット（ＣＰＵ）、又はマイクロプロセッサ（ＭＰＵ）、又はデジタル・シグナル・プロセッサ（ＤＳＰ）、又はプログラマブル  ゲート  アレイ（ＦＰＧＡ）によって実現することもできる。
【００６１】
上記登録ＣＳＥに基づいて、本発明はさらにＭ２Ｍノード位置情報の取得を制御するシステムを提供し、図３に示すように、該システムは、ＡＥ又はＣＳＥ３１と、登録ＣＳＥ３２と、位置サーバー３３とを含む。
【００６２】
ＡＥ又はＣＳＥ３１は、登録ＣＳＥ３２に測位パラメータが乗せられたリソース要求を送信し、前記測位パラメータは測位間隔又は／及び測位時間を含む。
【００６３】
登録ＣＳＥ３２は、測位パラメータが乗せられたリソース要求を受信し、前記リソース要求中の測位パラメータに基づいて測位制御を行う。
【００６４】
位置サーバー３３は、登録ＣＳＥ３２の制御に従って測位操作を実行する。
【００６５】
前記登録ＣＳＥ３２はさらに、リソース要求に基づいて、位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を確立する。
【００６６】
前記登録ＣＳＥ３２は、具体的に、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しない又は属性「測位間隔」の値が０又は空きである場合、登録ＣＳＥにより測位要求メッセージを位置サーバー３３に送信し、
前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥにより測位要求メッセージを位置サーバー３３に送信し、
前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥにより測位停止メッセージを位置サーバー３３に送信して、位置情報の提供を停止することを指示し、
前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥにより測位停止メッセージを位置サーバー３３に送信して、位置情報の提供を停止することを指示する。
【００６７】
前記登録ＣＳＥ３２はさらに、測位要求メッセージを位置サーバー３３に送信した後、位置サーバーの応答メッセージを受信し、応答メッセージに現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定し、具体的には、
前記測位パラメータに測位間隔が含まれている場合、
登録ＣＳＥ３２は、「Ｔｒｉｇｇｅｒｅｄ  Ｌｏｃａｔｉｏｎ  Ｒｅｐｏｒｔｉｎｇ  Ｒｅｑｕｅｓｔ」シグナルを位置サーバー３３に送信し、シグナルにおいてパラメータ「ｍｓｉｄ」の値をリソース「位置管理」の属性「ターゲットマーク」の値に設定し、パラメータ「ｉｎｔｅｒｖａｌ」の値を属性「測位間隔」の値に設定し、
登録ＣＳＥ３２は、位置サーバー３３から返信した応答メッセージを受信し、それにパラメータ「ｌｃｓ＿ｒｅｆ」が含まれていて、「ｌｃｓ＿ｒｅｆ」は前記登録ＣＳＥ３２が要求した測位情報を周期的に取得するフローを示し、登録ＣＳＥ３２はリソース「位置管理」に対して属性「測位フロー関連マーク」を確立し、その値を受信した現在の周期性測位要求のフローマーク、即ち受信した「ｌｃｓ＿ｒｅｆ」に設定する。
【００６８】
又は、登録ＣＳＥ３２は、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバー３３に送信し、シグナルにおいてパラメータ「ａｄｄｒｅｓｓ」をリソース「位置管理」の属性「ターゲットマーク」の値に設定し、パラメータ「ｆｒｅｑｕｅｎｃｙ」の値を属性「測位間隔」の値に設定し、
位置サーバー３３は、登録ＣＳＥ３２の「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルに対してｓｕｂｓｃｒｉｐｔｉｏｎリソースを確立し、対応するｓｕｂｓｃｒｉｐｔｉｏｎ  ｉｄを登録ＣＳＥ３２に送信し、前記ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。登録ＣＳＥ３２リソース「位置管理」に対して属性「測位フロー関連マーク」、その値を受信したｓｕｂｓｃｒｉｐｔｉｏｎ  ｉｄに設定する。
【００６９】
前記測位パラメータに測位間隔及び測位時間が含まれている場合、
登録ＣＳＥ３２は、「Ｔｒｉｇｇｅｒｅｄ  Ｌｏｃａｔｉｏｎ  Ｒｅｐｏｒｔｉｎｇ  Ｒｅｑｕｅｓｔ」シグナルを位置サーバー３３に送信し、シグナルにおいてパラメータ「ｍｓｉｄ」の値をリソース「位置管理」の属性「ターゲットマーク」の値に設定し、パラメータ「ｉｎｔｅｒｖａｌ」の値を属性「測位間隔」の値に設定し、パラメータ「ｄｕｒａｔｉｏｎ」の値を属性「測位時間」の値に設定し、
登録ＣＳＥ３２は、位置サーバー３３から返信した応答メッセージを受信し、それにパラメータ「ｌｃｓ＿ｒｅｆ」が含まれていて、「ｌｃｓ＿ｒｅｆ」は前記登録ＣＳＥ３２が要求した測位情報を周期的に取得するフローを示し、登録ＣＳＥ３２はリソース「位置管理」に対して属性「測位フロー関連マーク」を確立し、その値を受信した現在の周期性測位要求のフローマーク、即ち受信した「ｌｃｓ＿ｒｅｆ」に設定する。
【００７０】
又は、登録ＣＳＥ３２は、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバー３３に送信し、シグナルにおいてパラメータ「ａｄｄｒｅｓｓ」をリソース「位置管理」の属性「ターゲットマーク」の値に設定し、パラメータ「ｆｒｅｑｕｅｎｃｙ」の値を属性「測位間隔」の値に設定し、パラメータ「ｄｕｒａｔｉｏｎ」の値を属性「測位時間」の値に設定し、
位置サーバー３３は、登録ＣＳＥ３２の「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルに対してｓｕｂｓｃｒｉｐｔｉｏｎリソースを確立し、対応するｓｕｂｓｃｒｉｐｔｉｏｎ  ｉｄを登録ＣＳＥに送信し、前記ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。登録ＣＳＥ３２はリソース「位置管理」に対して属性「測位フロー関連マーク」を確立し、その値を受信したｓｕｂｓｃｒｉｐｔｉｏｎ  ｉｄに設定する。
【００７１】
前記登録ＣＳＥ３２は、具体的に、位置サーバー３３に送信しる測位停止メッセージにリソース「位置管理」の属性「測位フロー関連マーク」の値を乗せていて、
登録ＣＳＥ３２が、「Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔ」シグナルを位置サーバー３３に送信し、前記シグナルにおいてパラメータ「ｌｃｓ＿ｒｅｆ」の値をリソース「位置管理」の属性「測位フロー関連マーク」の値に設定し、前記パラメータ「ｌｃｓ＿ｒｅｆ」は登録ＣＳＥ３２が要求した位置情報を周期的に取得するフローを示し、
又は、登録ＣＳＥ３２は、「ｄｅｌｅｔｅ  ｓｕｂｓｃｒｉｐｔｉｏｎ  ｗｉｔｈ  ｓｕｂｓｃｒｉｐｔｉｏｎ  ｉｄ」シグナルを位置サーバー３３に送信し、前記シグナルにリソース「位置管理」の属性「測位フロー関連マーク」の値が含まれている。
【００７２】
以下、具体的なシーンによって本発明の方法を具体的に説明する。
【００７３】
実例１
本実例において、測位パラメータに測位間隔が含まれていて、Ｍ２Ｍノード位置情報の取得を制御する方法は以下を含む。
【００７４】
Ｓ１において、ＡＥ１が、リソース確立要求を登録ＣＳＥに送信し、リソース確立要求には以下が含まれている：
１）リソースタイプ：位置管理；
２）ターゲットマーク：位置情報を取得しようとするターゲットノードのマーク；
３）測位間隔：位置情報を周期的に取得する際、次の位置情報を取得する間隔時間；
４）測位方式：デバイスに基づく方式、又はネットワークに基づく方式。
【００７５】
Ｓ２において、登録ＣＳＥが、前記リソース確立要求を受信した後、位置管理タイプのリソース「位置管理１」を確立し、リソース「位置管理１」に対して、
属性の値が要求メッセージにおいてターゲットマークの値に設定された属性「ターゲットマーク」を確立し、
属性の値が要求メッセージにおいて測位間隔の値に設定された属性「測位間隔」を確立し、
属性の値が要求メッセージにおいて測位方式の値に設定された属性「測位方式」を確立し、
値が次のステップで設定される属性「位置容器」を確立する。
【００７６】
Ｓ３において、登録ＣＳＥが、容器タイプのリソース「容器１」を確立し、確立に成功した後、「位置管理１」の属性「位置容器」の値を「容器１」のアドレスに設定する。
【００７７】
Ｓ４において、登録ＣＳＥが、応答メッセージをＡＥ１に送信し、応答メッセージにリソース「位置管理１」のアドレスが含まれている。
【００７８】
Ｓ５において、属性「測位間隔」の値が空き又は０ではないと、登録ＣＳＥが、測位要求メッセージを位置サーバーに送信して、位置サーバーに位置情報を周期的に提供することを指示する。
【００７９】
具体的なコード実現において、空きを０に設定することもあるが、０値が特定の意味を有する場合には他の値、例えば−９９９９９９９で空きを表す。
【００８０】
ここで、登録ＣＳＥが測位要求メッセージを位置サーバーに送信することが以下の２種類の方式であることができる：
（１）、登録ＣＳＥが、「Ｔｒｉｇｇｅｒｅｄ  Ｌｏｃａｔｉｏｎ  Ｒｅｐｏｒｔｉｎｇ  Ｒｅｑｕｅｓｔ」シグナルを位置サーバーに送信し、シグナルにおいてパラメータ「ｍｓｉｄ」の値をリソース「位置管理１」の属性「ターゲットマーク」の値に設定し、パラメータ「ｉｎｔｅｒｖａｌ」の値を属性「測位間隔」の値に設定し、
位置サーバーは、応答メッセージを登録ＣＳＥに送信し、それにパラメータ「ｌｃｓ＿ｒｅｆ」が含まれていて、ｌｃｓ＿ｒｅｆは該登録ＣＳＥが要求した測位情報を周期的に取得するフローを示す。登録ＣＳＥが、リソース「位置管理１」に対して属性「測位フロー関連マーク」を確立し、その値を受信した「ｌｃｓ＿ｒｅｆ」に設定する。
【００８１】
（２）、登録ＣＳＥが、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバーに送信し、シグナルにおいてパラメータ「ａｄｄｒｅｓｓ」をリソース「位置管理１」の属性「ターゲットマーク」の値に設定し、パラメータ「ｆｒｅｑｕｅｎｃｙ」の値を属性「測位間隔」の値に設定し、
位置サーバーが、登録ＣＳＥの要求に対してｓｕｂｓｃｒｉｐｔｉｏｎリソースを確立し、対応するｓｕｂｓｃｒｉｐｔｉｏｎ  ｉｄを登録ＣＳＥに送信し、該ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。登録ＣＳＥはリソース「位置管理１」に対して属性「測位フロー関連マーク」を確立し、その値を受信したｓｕｂｓｃｒｉｐｔｉｏｎ  ｉｄに設定する。
【００８２】
Ｓ６において、属性「測位間隔」の値が空き又は０であると、登録ＣＳＥが一旦測位要求メッセージを位置サーバーに送信せず、「位置管理１」に関連する「容器１」が調査された時、測位要求メッセージを位置サーバーに送信する。
【００８３】
Ｓ７において、ＡＥ１が、リソース更新要求を登録ＣＳＥに送信し、要求メッセージには、
１）「位置管理１」のアドレスに設定されたターゲットリソースアドレスと、
２）「位置管理１」リソースの属性「測位間隔」を更新する値を設定する測位間隔とが含まれている。
【００８４】
Ｓ８において、登録ＣＳＥが、リソース更新要求を受信した後、Ｓ８.１とＳ８.２に応じて処理する。
【００８５】
Ｓ８.１：リソース更新要求中の「測位間隔」の値が０又は空きではなく、リソース「位置管理１」の属性「測位間隔」が存在しない又は属性「測位間隔」の値が０又は空きであって、属性「測位方式」の値がネットワークに基づくものと設定されていると、登録ＣＳＥが、測位要求メッセージを位置サーバーに送信して、位置サーバーに位置情報を周期的に提供することを指示する。
【００８６】
登録ＣＳＥが測位要求メッセージを位置サーバーに送信することが以下の２種類の方式であることができる：
（１）、登録ＣＳＥが、「Ｔｒｉｇｇｅｒｅｄ  Ｌｏｃａｔｉｏｎ  Ｒｅｐｏｒｔｉｎｇ  Ｒｅｑｕｅｓｔ」シグナルを位置サーバーに送信し、シグナルにおいてパラメータ「ｍｓｉｄ」の値をリソース「位置管理１」の属性「ターゲットマーク」の値に設定し、パラメータ「ｉｎｔｅｒｖａｌ」の値を属性「測位間隔」の値に設定し、
位置サーバーは、応答メッセージを登録ＣＳＥに送信し、それにパラメータ「ｌｃｓ＿ｒｅｆ」が含まれていて、ｌｃｓ＿ｒｅｆは該登録ＣＳＥが要求した測位情報を周期的に取得するフローを示す。登録ＣＳＥが、リソース「位置管理１」に対して属性「測位フロー関連マーク」を確立し、その値を受信した「ｌｃｓ＿ｒｅｆ」に設定する。
【００８７】
（２）、登録ＣＳＥが、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバーに送信し、シグナルにおいてパラメータ「ａｄｄｒｅｓｓ」をリソース「位置管理１」の属性「ターゲットマーク」の値に設定し、パラメータ「ｆｒｅｑｕｅｎｃｙ」の値を属性「測位間隔」の値に設定し、
位置サーバーは、登録ＣＳＥの要求に対してｓｕｂｓｃｒｉｐｔｉｏｎリソースを確立し、対応するｓｕｂｓｃｒｉｐｔｉｏｎ  ｉｄを登録ＣＳＥに送信し、該ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。登録ＣＳＥが、リソース「位置管理１」に対して属性「測位フロー関連マーク」を確立し、その値を受信したｓｕｂｓｃｒｉｐｔｉｏｎ  ｉｄに設定する。
【００８８】
Ｓ８.２：要求メッセージ中の「測位間隔」の値が０又は空きであって、リソース「位置管理」の属性「測位間隔」の値が０又は空きではなく、属性「測位方式」の値がネットワークに基づくものと設定されていると、登録ＣＳＥが測位停止メッセージを位置サーバーに送信し、位置情報の提供を停止することを指示する。
【００８９】
登録ＣＳＥが測位停止メッセージを位置サーバーに送信することは以下の２種類方式であることができる：
（１）、登録ＣＳＥが、「Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔ」シグナルを位置サーバーに送信し、シグナルにおいてパラメータ「ｌｃｓ＿ｒｅｆ」の値をリソース「位置管理１」の属性「測位フロー関連マーク」の値に設定する。
【００９０】
（２）、登録ＣＳＥが、「ｄｅｌｅｔｅ  ｓｕｂｓｃｒｉｐｔｉｏｎ  ｗｉｔｈ  ｓｕｂｓｃｒｉｐｔｉｏｎ  ｉｄ」シグナルを位置サーバーに送信し、シグナルにリソース「位置管理１」の属性「測位フロー関連マーク」の値が含まれている。
【００９１】
実例２
本実例において、測位パラメータに測位間隔及び測位時間が含まれていて、Ｍ２Ｍノード位置情報の取得を制御する方法は以下を含む：
Ｓ１において、ＣＳＥ２が、リソース確立要求を登録ＣＳＥに送信し、要求メッセージには以下が含まれている：
１）リソースタイプ：位置管理；
２）ターゲットマーク：位置情報を取得しようとするターゲットノードのマーク；
３）測位間隔：位置情報を周期的に取得する際、次の位置情報を取得する間隔時間；
４）測位時間：位置情報を周期的に取得する際、位置情報を取得する総時間、当該定義された時間が経過した後、位置情報を周期的に取得するフローを停止する；
５）測位方式：デバイスに基づく方式、又はネットワークに基づく方式。
【００９２】
Ｓ２において、登録ＣＳＥが、要求を受信した後、位置管理タイプのリソース「位置管理２」を確立し、該リソースに対して、
属性の値を要求メッセージ中のターゲットマークの値に設定した属性「ターゲットマーク」を確立し、
属性の値を要求メッセージ中の測位間隔の値に設定した属性「測位間隔」を確立し、
属性の値を要求メッセージ中の測位時間の値に設定した属性「測位時間」を確立し、
属性の値を要求メッセージ中の測位方式の値に設定した属性「測位方式」を確立し、
値を一旦設定していない属性「位置容器」を確立する。
【００９３】
Ｓ３において、登録ＣＳＥが、容器タイプのリソース「容器２」を確立し、確立に成功した後、「位置管理２」の属性「位置容器」の値を「容器２」のアドレスに設定する。
【００９４】
Ｓ４において、登録ＣＳＥが、応答メッセージをＣＳＥ２に送信し、応答メッセージに「位置管理２」のアドレスが含まれている。
【００９５】
Ｓ５において、属性「測位時間」の値が空き又は０ではないと、登録ＣＳＥが測位要求メッセージを位置サーバーに送信して、位置サーバーに位置情報を周期的に提供することを指示する。
【００９６】
登録ＣＳＥが、測位要求メッセージを位置サーバーに送信することは以下の２種類の方式であることができる：
（１）、登録ＣＳＥが、「Ｔｒｉｇｇｅｒｅｄ  Ｌｏｃａｔｉｏｎ  Ｒｅｐｏｒｔｉｎｇ  Ｒｅｑｕｅｓｔ」シグナルを位置サーバーに送信し、シグナルにおいてパラメータ「ｍｓｉｄ」の値をリソース「位置管理２」の属性「ターゲットマーク」の値に設定し、パラメータ「ｉｎｔｅｒｖａｌ」の値を属性「測位間隔」の値に設定し、パラメータ「ｄｕｒａｔｉｏｎ」の値を属性「測位時間」の値に設定し、
位置サーバーが、応答メッセージを登録ＣＳＥに送信し、それにパラメータ「ｌｃｓ＿ｒｅｆ」が含まれていて、ｌｃｓ＿ｒｅｆは該登録ＣＳＥが要求した測位情報を周期的に取得するフローを示す。登録ＣＳＥが、リソース「位置管理２」に対して属性「測位フロー関連マーク」を確立し、その値を受信した「ｌｃｓ＿ｒｅｆ」に設定する。
【００９７】
（２）、登録ＣＳＥが、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバーに送信し、シグナルにおいてパラメータ「ａｄｄｒｅｓｓ」をリソース「位置管理２」の属性「ターゲットマーク」の値に設定し、パラメータ「ｆｒｅｑｕｅｎｃｙ」の値を属性「測位間隔」の値に設定し、パラメータ「ｄｕｒａｔｉｏｎ」の値を属性「定時時間」の値に設定し、
位置サーバーが、登録ＣＳＥの要求に対してｓｕｂｓｃｒｉｐｔｉｏｎリソースを確立し、対応するｓｕｂｓｃｒｉｐｔｉｏｎ  ｉｄを登録ＣＳＥに送信し、該ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。登録ＣＳＥはリソース「位置管理２」に対して属性「測位フロー関連マーク」を確立し、その値を受信したｓｕｂｓｃｒｉｐｔｉｏｎ  ｉｄに設定する。
【００９８】
Ｓ６において、属性「測位間隔」の値が空き又は０であると、登録ＣＳＥが一旦測位要求メッセージを位置サーバーに送信せず、「位置管理２」に関連する「容器２」が調査された時、測位要求メッセージを位置サーバーに送信する。
【００９９】
Ｓ７において、ＣＳＥ２がリソース更新要求を登録ＣＳＥに送信し、要求メッセージに以下が含まれている：
１）「位置管理２」のアドレスに設定されたターゲットリソースアドレス、
２）「位置管理」リソースの属性「測位時間」を更新する値である測位時間。
【０１００】
Ｓ８において、登録ＣＳＥが、要求メッセージを受信した後、Ｓ８.１とＳ８.２に従って処理する：
Ｓ８.１：要求メッセージ中の「測位時間」の値が０又は空きではなく、リソース「位置管理２」の属性「測位時間」が存在しない又は属性「測位時間」の値が０又は空きであって、属性「測位方式」の値がネットワークに基づくものと設定されていると、登録ＣＳＥが測位要求メッセージを位置サーバーに送信して、位置サーバーに位置情報を周期的に提供することを指示する。
【０１０１】
登録ＣＳＥが測位要求メッセージを位置サーバーに送信することが以下の２種類の方式であることができる：
（１）、登録ＣＳＥが、「Ｔｒｉｇｇｅｒｅｄ  Ｌｏｃａｔｉｏｎ  Ｒｅｐｏｒｔｉｎｇ  Ｒｅｑｕｅｓｔ」シグナルを位置サーバーに送信し、シグナルにおいてパラメータ「ｍｓｉｄ」の値をリソース「位置管理２」の属性「ターゲットマーク」の値に設定し、パラメータ「ｉｎｔｅｒｖａｌ」の値を属性「測位間隔」の値に設定し、パラメータ「ｄｕｒａｔｉｏｎ」の値を属性「測位時間」の値に設定し、
位置サーバーが応答メッセージを登録ＣＳＥに送信し、それにパラメータ「ｌｃｓ＿ｒｅｆ」が含まれていて、ｌｃｓ＿ｒｅｆは該登録ＣＳＥが要求した測位情報を周期的に取得するフローを示す。登録ＣＳＥが、リソース「位置管理２」に対して属性「測位フロー関連マーク」を確立し、その値を受信した「ｌｃｓ＿ｒｅｆ」に設定する。
【０１０２】
（２）、登録ＣＳＥが、「ｃｒｅａｔｅ  ｎｅｗ  ｐｅｒｉｏｄｉｃ  ｎｏｔｉｆｉｃａｔｉｏｎ  ｓｕｂｓｃｒｉｐｔｉｏｎ」シグナルを位置サーバーに送信し、シグナルにおいてパラメータ「ａｄｄｒｅｓｓ」をリソース「位置管理２」の属性「ターゲットマーク」の値に設定し、パラメータ「ｆｒｅｑｕｅｎｃｙ」の値を属性「測位間隔」の値に設定し、パラメータ「ｄｕｒａｔｉｏｎ」の値を属性「測位時間」の値に設定し、
位置サーバーが、登録ＣＳＥの要求に対してｓｕｂｓｃｒｉｐｔｉｏｎリソースを確立し、対応するｓｕｂｓｃｒｉｐｔｉｏｎ  ｉｄを登録ＣＳＥに送信し、該ｓｕｂｓｃｒｉｐｔｉｏｎ  ｉｄは位置サーバーにおいて前記ｓｕｂｓｃｒｉｐｔｉｏｎリソースを唯一に表すことのできる文字列であることができれば、前記ｓｕｂｓｃｒｉｐｔｉｏｎリソースのアドレスであることもでき、ｓｕｂｓｃｒｉｐｔｉｏｎ  ｉｄが当該確立されたｓｕｂｓｃｒｉｐｔｉｏｎリソースに関連付けられていればよい。登録ＣＳＥが、リソース「位置管理２」に対して属性「測位フロー関連マーク」を確立し、その値を受信したｓｕｂｓｃｒｉｐｔｉｏｎ  ｉｄに設定する。
【０１０３】
Ｓ８.２：要求メッセージ中の「測位時間」の値が０又は空きであって、リソース「位置管理」の属性「測位時間」の値が０又は空きではなく、属性「測位方式」の値がネットワークに基づくものと設定されていると、登録ＣＳＥが測位停止メッセージを位置サーバーに送信して、位置情報の提供を停止することを指示する。
【０１０４】
登録ＣＳＥが、測位停止メッセージを位置サーバーに送信することが以下の２種類の方式であることができる：
（１）、登録ＣＳＥが、「Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔ」シグナルを位置サーバーに送信し、シグナルにおいてパラメータ「ｌｃｓ＿ｒｅｆ」の値をリソース「位置管理２」の属性「測位フロー関連マーク」の値に設定する。
【０１０５】
（２）、登録ＣＳＥが、「ｄｅｌｅｔｅ  ｓｕｂｓｃｒｉｐｔｉｏｎ  ｗｉｔｈ  ｓｕｂｓｃｒｉｐｔｉｏｎ  ｉｄ」シグナルを位置サーバーに送信し、シグナルにリソース「位置管理２」の属性「測位フロー関連マーク」の値が含まれている。
【０１０６】
本発明の実施例の上記集積手段をソフトウェア機能手段の形態で実現し、単独の製品として販売又は使用する場合、コンピューター読み取り可能な記憶媒体に記憶することもできる。これにより、本発明の実施例の技術案の本質又は既存技術に貢献のある部分をソフトウェア製品の形態で体現することができ、当該コンピューターソフトウェア製品は記憶媒体に記憶され、コンピューター機器（パーソナルコンピュータ、サーバー、又はネットワークデバイス等）に本発明の各実施例に記載の方法の全部又は一部を実行させるコマンドを含む。上述した記憶媒体は、ＵＳＢ、モバイルハードディスク、読み取り専用メモリ（ＲＯＭ、Ｒｅａｄ−Ｏｎｌｙ  Ｍｅｍｏｒｙ）、磁気ディスク又は光ディスク等のプログラムコードを記憶することのできる各種の媒体を含む。これで、本発明の実施例はいかなる特定のハードウェアとソフトウェアの結合にも限定されない。
【０１０７】
対応して、本発明の実施例は、本発明の実施例の登録ＣＳＥ中の各手段の機能を実行するコンピュータープログラムが記憶されたコンピューター記憶媒体を提供する。
【０１０８】
本発明の実施例は、上述した各実施例のＭ２Ｍノード位置情報の取得を制御する方法を実行するように構成されたコンピュータープログラムが記憶される記憶媒体を提供する。
【０１０９】
以上は、本発明の好適な実施例に過ぎず、本発明を限定するものではなく、本発明の精神や原則内での全ての修正、同等置換、改良などは本発明の保護範囲内に含まれる。
【産業上の利用可能性】
【０１１０】
本発明において、登録ＣＳＥが測位間隔又は／及び測位時間を含む測位パラメータが乗せられたリソース要求を受信し、前記リソース要求中の測位パラメータに基づいて測位制御を行うことによって、開始側のＭ２Ｍノードが位置情報の取得を柔軟に制御するように許可することができ、必要でないリソース消費を減少し、必要でない費用の発生を防止する。
【図１】
2018512753.tif 000003
【図２】
2018512753.tif 000004
【図３】
2018512753.tif 000005
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
登録公共業務エンティティＣＳＥが、測位間隔又は/及び測位時間を含む測位パラメータが乗せられたリソース要求を受信し、前記リソース要求中の測位パラメータに基づいて、測位制御を行うことを含むマシンツーマシンＭ２Ｍノード位置情報の取得を制御する方法。
【請求項２】
登録ＣＳＥが、リソース要求に基づいて、位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を設定する請求項１に記載の方法。
【請求項３】
前記リソース要求中の測位パラメータに基づいて測位制御を行うことが、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しないか又は属性「測位間隔」の値が０又は空きである場合、登録ＣＳＥが、測位要求メッセージを位置サーバーに送信することを含む請求項２に記載の方法。
【請求項４】
前記リソース要求中の測位パラメータに基づいて測位制御を行うことが、前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥが測位要求メッセージを位置サーバーに送信することを含む請求項２に記載の方法。
【請求項５】
前記登録ＣＳＥが測位要求メッセージを位置サーバーに送信した後、位置サーバーの応答メッセージを受信し、応答メッセージ中に現在の測位要求に割り当てたマークが含まれていると、リソース「位置管理」に対して属性「測位フロー関連マーク」を確立し、その値を前記応答メッセージに含まれた現在の測位要求に割り当てたマークに設定することをさらに含む請求項３又は４に記載の方法。
【請求項６】
前記リソース要求中の測位パラメータに基づいて測位制御を行うことが、前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥが測位停止メッセージを位置サーバーに送信することを含む請求項２に記載の方法。
【請求項７】
前記リソース要求中の測位パラメータに基づいて測位制御を行うことが、前記リソース要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥが測位停止メッセージを位置サーバーに送信することを含む請求項２に記載の方法。
【請求項８】
前記登録ＣＳＥが測位停止メッセージを位置サーバーに送信することが、登録ＣＳＥが位置サーバーに送信する測位停止メッセージにリソース「位置管理」の属性「測位フロー関連マーク」の値を乗せることを含む請求項６又は７に記載の方法。
【請求項９】
測位間隔又は/及び測位時間を含む測位パラメータが乗せられたリソース要求を受信するように構成されたメッセージ受信手段と、
前記リソース要求中の測位パラメータに基づいて測位制御を行うように構成された制御手段と、を含む登録ＣＳＥ。
【請求項１０】
前記メッセージ受信手段はさらに、リソース要求に基づいて位置管理タイプのリソース「位置管理」を確立し、リソース要求中の測位パラメータに測位間隔が含まれている場合、リソース「位置管理」に対して、
属性の値がリソース要求中の測位間隔の値に設定された属性「測位間隔」を確立し、
リソース要求中の測位パラメータに測位時間が含まれている場合、リソース「位置管理」に対して、
属性の値がリソース要求中の測位時間の値に設定された属性「測位時間」を確立する請求項９に記載の登録ＣＳＥ。
【請求項１１】
前記制御手段はさらに、前記リソース要求中の測位パラメータに測位間隔又は測位間隔及び測位時間が含まれていて、且つ前記リソース要求中の測位間隔の値が０又は空きではない場合、リソース「位置管理」の属性「測位間隔」を調査し、属性「測位間隔」が存在しない又は属性「測位間隔」の値が０又は空きである場合、登録ＣＳＥにより測位要求メッセージを位置サーバーに送信し、
前記制御手段はさらに、前記リソース要求中の測位パラメータに測位間隔及び測位時間が含まれていて、且つ前記リソース要求中の測位時間の値が０又は空きではない場合、リソース「位置管理」の属性「測位時間」を調査し、属性「測位時間」が存在しない又は属性「測位時間」の値が０又は空きである場合、登録ＣＳＥにより測位要求メッセージを位置サーバーに送信する請求項１０に記載の登録ＣＳＥ。
【請求項１２】
前記制御手段はさらに、測位要求メッセージを位置サーバーに送信した後、位置サーバーの応答メッセージを受信し、応答メッセージに現在の測位要求に割り当てたマークが含まれていると、リソース「位置管理」に対して属性「測位フロー関連マーク」を確立し、その値を前記応答メッセージに含まれた現在の周期性測位要求に割り当てたマークに設定する請求項１１に記載の登録ＣＳＥ。
【請求項１３】
前記制御手段はさらに、前記リソース要求中の測位パラメータに測位間隔又は測位間隔及び測位時間が含まれていて、且つ前記リソース要求中の測位間隔の値が０又は空きである場合、リソース「位置管理」の属性「測位間隔」を調査し、属性「測位間隔」の値が０又は空きではない場合、登録ＣＳＥにより測位停止メッセージを位置サーバーに送信し、
前記制御手段はさらに、前記リソース更新要求中の測位パラメータに測位間隔及び測位時間が含まれていて、且つ前記リソース要求中の測位時間の値が０又は空きである場合、リソース「位置管理」の属性「測位時間」を調査し、属性「測位時間」の値が０又は空きではない場合、登録ＣＳＥにより測位停止メッセージを位置サーバーに送信する請求項１０に記載の登録ＣＳＥ。
【請求項１４】
前記制御手段はさらに、位置サーバーに送信する測位停止メッセージにリソース「位置管理」の属性「測位フロー関連マーク」の値を乗せる請求項１３に記載の登録ＣＳＥ。
【請求項１５】
登録ＣＳＥに、測位間隔又は/及び測位時間を含む測位パラメータが乗せられたリソース要求を送信するように構成されたアプリケーションエンティティＡＥ又はＣＳＥと、
測位パラメータが乗せられたリソース要求を受信し、前記リソース要求中の測位パラメータに基づいて測位制御を行うように構成された登録ＣＳＥと、
登録ＣＳＥの制御に従って測位操作を実行するように構成された位置サーバーと、
請求項９乃至１４の中のいずれか一項に記載の登録ＣＳＥと、
を含むＭ２Ｍノード位置情報の取得を制御するシステム。
【国際調査報告】
2018512753.tif 000006
2018512753.tif 000007
2018512753.tif 000008
2018512753.tif 000009